【手続補正書】
【提出日】令和1年7月17日(2019.7.17)
【手続補正１】
【補正対象書類名】明細書
【補正対象項目名】００９１
【補正方法】変更
【補正の内容】
【００９１】
図における要素の説明は、別段の指示がない限り、他の図における対応する要素に等しく適用されると理解されるべきである。上述の実施形態は、本発明の様々な態様の説明を容易にするために詳細に記載されたものであるため、本発明は、上述の特定の実施例及び実施形態に限定されるものと見なされるべきではない。むしろ、本発明は、添付の特許請求の範囲及びそれらの同等物によって定義される本発明の範囲内に含まれる様々な変形形態、同等のプロセス、及び代替的デバイスを含めた、本発明の全ての態様を包含するものと理解されるべきである。
本開示の実施態様の一部を以下の［項目１］−［項目２０］に記載する。
［項目１］
主表面を有する第１のポリマー多層反射体と、
前記ポリマー多層反射体の前記主表面上に配置された熱拡散層と、
前記第１のポリマー多層反射体の反対側の前記熱拡散層上に配置された第２のポリマー多層反射体とを備え、
前記第１のポリマー多層反射体が第１の厚さを有し、前記第２のポリマー多層反射体が第２の厚さを有し、前記第１の厚さ及び前記第２の厚さが、互いの５％以内である、反射性積層体。
［項目２］
主表面を有するポリマー多層反射体と、
少なくとも１つの端を有し、かつ前記ポリマー多層反射体の前記主表面上に配置された熱拡散層と、
前記ポリマー多層反射体の反対側の前記熱拡散層上に配置されたポリマーフィルムとを備え、
前記ポリマー多層反射体及び前記ポリマーフィルムが前記熱拡散層よりも大きいことにより、平面視において、前記ポリマー多層反射体及び前記ポリマーフィルムを含むが熱拡散層は含まない、前記少なくとも１つの端の一部分に沿った少なくとも０．１ｍｍの縁が存在し、
前記ポリマーフィルムが、前記縁で前記ポリマー多層反射体に直接接着している、反射性積層体。
［項目３］
前記少なくとも１つの端が、４つの端を含み、かつ、平面視において、前記ポリマー多層反射体及び前記ポリマーフィルムを含むが熱拡散層は含まない、前記４つの端のうちの２つに沿った少なくとも０．１ｍｍの縁が存在する、項目２に記載の反射性積層体。
［項目４］
平面視において、前記ポリマー多層反射体及び前記ポリマーフィルムを含むが熱拡散層は含まない、前記４つの端のうちの３つに沿った少なくとも０．１ｍｍの縁が存在する、項目３に記載の反射性積層体。
［項目５］
前記熱拡散層が、前記ポリマー多層反射体の前記主表面に接着していない、項目２に記載の反射性積層体。
［項目６］
前記熱拡散層が、前記ポリマー多層反射体の前記主表面に接着している、項目２に記載の反射性積層体。
［項目７］
前記熱拡散層が、前記ポリマーフィルムに接着している、項目２に記載の反射性積層体。
［項目８］
前記熱拡散層が、天然黒鉛を含む、項目２に記載の反射性積層体。
［項目９］
前記熱拡散層が、合成黒鉛を含む、項目２に記載の反射性積層体。
［項目１０］
前記熱拡散層が、銅を含む、項目２に記載の反射性積層体。
［項目１１］
項目２に記載の反射性積層体を含む、バックライト。
［項目１２］
項目２に記載の反射性積層体を含む、ディスプレイ。
［項目１３］
主表面を有するポリマー多層反射体と、
前記ポリマー多層反射体の前記主表面上に配置された第１のポリマーフィルムと、
少なくとも１つの端を有し、かつ前記ポリマー多層反射体の反対側の第１のポリマーフィルム上に配置された熱拡散層と、
前記ポリマー多層反射体の反対側の前記熱拡散層上に配置された第２のポリマーフィルムとを備え、
前記ポリマー多層反射体及び前記第２のポリマーフィルムが前記熱拡散層よりも大きいことにより、平面視において、前記ポリマー多層反射体及び前記ポリマーフィルムを含むが熱拡散層は含まない、前記少なくとも１つの端の一部分に沿った少なくとも０．１ｍｍの縁が存在し、
前記第２のポリマーフィルムが、前記縁で前記ポリマー多層反射体に直接接着している、反射性積層体。
［項目１４］
前記第１のポリマーフィルムが、前記ポリマー多層反射体よりも前記第２のポリマーフィルムに近いように配置されている、項目１３に記載の反射性積層体。
［項目１５］
前記第１のポリマーフィルムが、前記ポリマー多層反射体よりも前記第２のポリマーフィルムに近いように配置されている、項目１３に記載の反射性積層体。
［項目１６］
前記第１のポリマーフィルム又は前記第２のポリマーフィルムのうちの少なくとも一方が、少なくとも１つの穿孔を有する、項目１３に記載の反射性積層体。
［項目１７］
前記少なくとも１つの端が、４つの端を含み、かつ、平面視において、前記ポリマー多層反射体及び前記第２のポリマーフィルムを含むが熱拡散層は含まない、前記４つの端のうちの２つに沿った少なくとも０．１ｍｍの縁が存在する、項目１３に記載の反射性積層体。
［項目１８］
平面視において、前記ポリマー多層反射体及び前記ポリマーフィルムを含むが熱拡散層は含まない、前記４つの端のうちの３つに沿った少なくとも０．１ｍｍの縁が存在する、項目１７に記載の反射性積層体。
［項目１９］
前記熱拡散層が、黒鉛を含む、項目１３に記載の反射性積層体。
［項目２０］
項目１３に記載の複数の反射性積層体を含み、
前記複数の反射性積層体のうち２つの隣接した反射性積層体間で、前記第２のポリマーフィルムは連続的であるが、前記ポリマー多層反射体は不連続である、フィルムのロール。
【手続補正２】
【補正対象書類名】特許請求の範囲
【補正対象項目名】全文
【補正方法】変更
【補正の内容】
【特許請求の範囲】
【請求項１】
主表面を有する第１のポリマー多層反射体と、
前記ポリマー多層反射体の前記主表面上に配置された熱拡散層と、
前記第１のポリマー多層反射体の反対側の前記熱拡散層上に配置された第２のポリマー多層反射体とを備え、
前記第１のポリマー多層反射体が第１の厚さを有し、前記第２のポリマー多層反射体が第２の厚さを有し、前記第１の厚さ及び前記第２の厚さが、互いの５％以内である、反射性積層体。
【請求項２】
主表面を有するポリマー多層反射体と、
少なくとも１つの端を有し、かつ前記ポリマー多層反射体の前記主表面上に配置された熱拡散層と、
前記ポリマー多層反射体の反対側の前記熱拡散層上に配置されたポリマーフィルムとを備え、
前記ポリマー多層反射体及び前記ポリマーフィルムが前記熱拡散層よりも大きいことにより、平面視において、前記ポリマー多層反射体及び前記ポリマーフィルムを含むが熱拡散層は含まない、前記少なくとも１つの端の一部分に沿った少なくとも０．１ｍｍの縁が存在し、
前記ポリマーフィルムが、前記縁で前記ポリマー多層反射体に直接接着している、反射性積層体。
【請求項３】
主表面を有するポリマー多層反射体と、
前記ポリマー多層反射体の前記主表面上に配置された第１のポリマーフィルムと、
少なくとも１つの端を有し、かつ前記ポリマー多層反射体の反対側の第１のポリマーフィルム上に配置された熱拡散層と、
前記ポリマー多層反射体の反対側の前記熱拡散層上に配置された第２のポリマーフィルムとを備え、
前記ポリマー多層反射体及び前記第２のポリマーフィルムが前記熱拡散層よりも大きいことにより、平面視において、前記ポリマー多層反射体及び前記ポリマーフィルムを含むが熱拡散層は含まない、前記少なくとも１つの端の一部分に沿った少なくとも０．１ｍｍの縁が存在し、
前記第２のポリマーフィルムが、前記縁で前記ポリマー多層反射体に直接接着している、反射性積層体。
【請求項４】
請求項３に記載の複数の反射性積層体を含み、
前記複数の反射性積層体のうち２つの隣接した反射性積層体間で、前記第２のポリマーフィルムは連続的であるが、前記ポリマー多層反射体は不連続である、フィルムのロール。